(57)【要約】【目的】ブラシの磨耗や変形を可及的に防ぐことが可能であると共に、ブラシの磨耗が進んだとしてもブラシ高さを調整可能な手押し掃除機を提供すること。【構成】上記課題を解決するために、本発明に係る手押し掃除機は以下のように構成した。請求項１：ハンドルを手で押すことで車輪を回転させ、当該回転を利用して掃き込み用のブラシを回転させ、ダストホッパーに塵埃を集める手押し掃除機に、一対の車輪と一体的に設けた原動ギアと、車輪に隣接して設けられ車軸を中心に回動自在な一対の盤体と、当該盤体に設けられると共に、回転ブラシの回転軸と連動する従動ギアと、両盤体間にわたり軸支される回転ブラシと、盤体を回動させることで回転ブラシの昇降を行うリンク機構とを装備せしめた。請求項２：請求項１記載の手押し掃除機において、リンク機構を構成するアームの位置を調整ボルトで微調整可能とした。【選択図】図１
2010000296.tif 000002
【特許請求の範囲】
【請求項１】
ハンドルを手で押すことで車輪を回転させ、当該回転を利用して掃き込み用のブラシを回転させ、ダストホッパーに塵埃を集める手押し掃除機において、
一対の車輪２と一体的に設けた原動ギア３と、
車輪２に隣接して設けられ、車軸９を中心に回動自在な一対の盤体７と、
当該盤体７に設けられると共に、回転ブラシ５の回転軸８と連動する従動ギア４と、
両盤体７間にわたり軸支される回転ブラシ５と、
盤体７を回動させることで回転ブラシ５の昇降を行うリンク機構１０と、
により成る手押し掃除機。
【請求項２】
リンク機構１０を構成するアーム１１の位置を調整ボルト１４で微調整可能とした請求項１記載の手押し掃除機。
【発明の詳細な説明】
【技術分野】
【０００１】
本発明は手押し掃除機に関し、より詳しくはブラシの磨耗を可及的に防ぐと共に、ブラシの接地高さを微調整可能な手押し掃除機に関する。
【背景技術】
【０００２】
手押し掃除機とは、ハンドルを手で押すことで車輪を回転させ、当該回転を駆動力として掃き込み用のブラシを回転させ、ダストホッパーに塵埃を掻き上げるものである。
【０００３】
係る手押し掃除機であって、ブラシの磨耗に対応した手段を有するものとして下記特許文献２記載の考案があり、ブラシの接地高さを調整可能な発明として下記特許文献１記載の発明がある。
【特許文献１】特開２００４−２６７４４９号公報
【特許文献２】実用新案登録第３１０７３５８号公報
【発明の開示】
【発明が解決しようとする課題】
【０００４】
手押し掃除機は車輪の回転に伴い掃き込み用のブラシが回転するため、清掃を目的としない移動時においてもブラシが回転してしまい、ブラシの磨耗が進んでしまう。又、清掃時以外であっても、ブラシの先端が常時床面と接触しているため、ブラシが変形してしまうことが多い。かようにブラシの磨耗や変形が進むと、ブラシ先端が清掃対象たる床面に届きにくくなり、清掃効率が著しく落ちることになる。
【０００５】
そこで本発明は上述のブラシの磨耗や変形を可及的に防ぐことが可能であると共に、ブラシの磨耗が進んだとしてもブラシ高さを調整可能な手押し掃除機を提供することを目的とする。
【課題を解決するための手段】
【０００６】
上記課題を解決するために、本発明に係る手押し掃除機は以下のように構成した。
【０００７】
請求項１：ハンドルを手で押すことで車輪を回転させ、当該回転を利用して掃き込み              用のブラシを回転させ、ダストホッパーに塵埃を集める手押し掃除機に、              一対の車輪と一体的に設けた原動ギアと、車輪に隣接して設けられ車軸を              中心に回動自在な一対の盤体と、当該盤体に設けられると共に、回転ブラ              シの回転軸と連動する従動ギアと、両盤体間にわたり軸支される回転ブラ              シと、盤体を回動させることで回転ブラシの昇降を行うリンク機構とを装              備せしめた。
【０００８】
請求項２：請求項１記載の手押し掃除機において、リンク機構を構成するアームの位              置を調整ボルトで微調整可能とした。
【発明の効果】
【０００９】
以下、上述の解決手段が如何に作用して課題を解決するかを図面を参照しながら述べる。
【００１０】
図１は本発明に係る手押し掃除機の正面図であり、図２はブラシを接地した状態の要部拡大図であり、図３はブラシを引き上げた状態の要部拡大図であり、図４は要部拡大右側面図であり、図５は車輪の斜視図である。尚、図２、図３において車輪は省略してある。
【００１１】
リンク機構１０を構成するアーム１１は、図２及び図３に示されるように車輪の回転軸９を中心として揺動可能に設けられている。アーム１１は盤体７と固定部材１２で固定されており、アーム１１の揺動に伴い盤体７は回転軸９を中心として回動する。盤体７の回転軸９を外れた位置に、ブラシ５を軸支する回転軸８が取り付けられており、盤体７の回動に伴いブラシ５は上下動する。係る上下動により、図２に示すようにブラシ５を接地し、あるいは図３に示すように地面１３から引き上げることが可能となるのである。
【００１２】
つまりは清掃時には図２に示される状態を維持すればよく、他方で非清掃時には図３に示される状態を維持すれば、ブラシ５が地面１３に接触することを防げる。これによりブラシの磨耗や変形を可及的に防ぐことが可能となるのである。
【００１３】
更には副次的効果として、作業者の余分な労力を軽減できるという効果も生じる。つまり、移動時においてブラシ５を地面に対して非接触状態にしておけば、接触状態に比し抵抗少なく、本手押し掃除機を押進できるのである。
【００１４】
又、本発明に係る手押し掃除機は、調整ボルト１４により、アーム１１の位置を微調整可能に設けられている。例えば、ブラシ５が磨耗して地面１３に届きにくくなったような場合には、図２に示される状態から調整ボルト１４を回転させ、アーム１１を若干上方に揺動させる。すると盤体７の回動に伴いブラシ５が若干下方に移動する。係る操作により再びブラシ５が接地するようになすことが可能となるのである。
【発明を実施するための最良の形態】
【００１５】
以下、好ましい発明の一実施形態につき概説する。
【００１６】
図１に示されるように、下面が開放されたケーシング１５の前部にキャスター１６が配設され、ケーシング１５の後部外側の左右に一対の車輪２が配設されている。左右の車輪２は車軸９により連結されている。ケーシング１５にはダストホッパー６が着脱自在に嵌め込まれている。ブラシ５で掃き上げられた塵埃はダストホッパー６内に収集されていく構造となっている。尚、図２、図３においてブラシ５は仮想線で示されているが、円筒体に植毛された既存のブラシを使用するものである。又、ケーシング１５の後部にはハンドル１が起倒自在に取り付けられている。ブラシ５の前方には塵埃をダストホッパー６内に誘導するゴム板１７ａが、後方には塵埃が飛散することを防ぐゴム板１７ｂが設けられている。
【００１７】
図５に示すように車輪２には原動ギア３が一体的に設けられている。つまり車輪の回転と共に原動ギア３も回転する構造となっている。孔部２ａには車軸９が嵌挿されるものである。
【００１８】
原動ギア３は図２、図３に示される従動ギア４と噛み合う位置関係にあり、従動ギア４はブラシ５の回転軸８に取り付けられるものである。したがって、原動ギア３の回転つまりは車輪２の回転に伴い、ブラシ５は回転することになる。
【００１９】
図２乃至図４に示されるように、円盤形状を呈する盤体７は車輪２に隣接して、車軸９を中心に回動可能に設けられている。盤体７の中心を外れた位置に設けた孔部(不図示）には、ブラシ５を軸支する回転軸８が嵌装されており、盤体７の回動に伴いブラシ５は上下動することになる。
【００２０】
盤体７と、リンク機構１０を構成するアーム１１とは、ボルト・ナット等より成る固定部材１２により固定されている。一方、アーム１１は車軸９を中心として回動可能に設けられている。係る構造により、アーム１１の揺動に伴い、盤体７は回転軸９を中心として回動するものである。
【００２１】
リンク機構１０はアーム１１、連結部材２０、調整ボルト１４、揺動部材１８、ブラケット１９等より成るものである。図４に示すようにケーシング１５に固定されたブラケット１９には、揺動部材１８が軸体２２を中心として揺動自在に設けられている。ここに揺動部材１８は略コ字状を呈する板体であり、その端部は折曲されペダル部１８ａが設けられている。揺動部材１８の両辺部に渡り軸体２３が枢軸形状で設けられており、軸体２３には調整ボルト１４が螺挿或いは緩挿されている。調整ボルト１４には、軸体２３を挟んで両側にナット１４ａが挿備されている。
【００２２】
調整ボルト１４の下部は軸体２４に設けられた孔部に螺挿されている。軸体２４はアーム１１及び連結部材２０に対して枢軸形状で設けられている。ここに連結部材２０は略コ字状に折曲された板体であり、アーム１１とは固定されている。
【００２３】
リンク機構１０は上述のように構成されていることから、図２に示される清掃時の状態すなわちブラシ５が接地している状態で、ペダル部１８ａを踏む等の手段で押し下げると、揺動部材１８が揺動し、これに伴い調整ボルト１４、調整ボルト１４に取り付けられて軸体２４が下方に押し下げられ、軸体２４と連結されたアーム１１が下方に揺動し、ブラシ５が持ち上げられるのである。逆に図３に示される非清掃時の状態すなわちブラシ５が接地していない状態で、ペダル部１８ａを持ち上げると、揺動部材１８が揺動し、これに伴い調整ボルト１４、調整ボルト１４に取り付けられて軸体２４が上方に持ち上げられ、軸体２４と連結されたアーム１１が上方に揺動し、ブラシ５が降り接地状態に至るのである。
【００２４】
尚、揺動部材１８とケーシング１５の下縁との間には引張ばね２１が介在させてある。この引き張りばね２１により図２、図３に示される状態、すなわち清掃時、非清掃時のブラシ位置をロックするものである。
【００２５】
又、調整ボルト１４には軸体２３を挟んで両側にナット１４ａが挿備されている。よって調整ボルト１を回動させることで、軸体２４を僅かに上下動させ固定することが可能である。この上下動により軸体２４と連結されたアーム１１を僅かに揺動固定させる、すなわち、ブラシ５の位置を微調整するものである。
【図面の簡単な説明】
【００２６】
【図１】本発明に係る手押し掃除機の正面図。
【図２】ブラシを接地した状態の要部拡大図。
【図３】ブラシを引き上げた状態の要部拡大図。
【図４】要部拡大右側面図。
【図５】車輪の斜視図。
【符号の説明】
【００２７】
２・・車輪
３・・原動ギア
４・・従動ギア
５・・ブラシ
７・・盤体
８・・回転軸
９・・車軸
１０・・リンク機構
１１・・アーム
１４・・調整ボルト
【図１】
2010000296.tif 000003
【図２】
2010000296.tif 000004
【図３】
2010000296.tif 000005
【図４】
2010000296.tif 000006
【図５】
2010000296.tif 000007